(57)【特許請求の範囲】
【請求項１】
石からなる傾斜堤のコア層または捨石マウンドの表面に、石を通さない網目状に形成したチェーンのロール、または傾斜堤のコア層または捨石マウンドの表面に追従する天然繊維あるいは合成繊維製等の網目状に形成したロープまたは帯のロールを巻き出して敷設した後、その上に被覆ブロックを据え付ける傾斜堤または捨石マウンド等の石の抜け出し防止方法。
【発明の詳細な説明】
【０００１】
【発明の属する技術分野】
本発明は、石のコア層の表面を大径の石または異形ブロックからなる被覆ブロックで被覆した傾斜堤または捨石マウンドにおいて、コア層や捨石マウンドの石が被覆ブロックの間から抜け出るのを防止する傾斜堤または捨石マウンド等の石の抜け出し防止方法に関する。
【０００２】
【従来技術】
従来、石を台形状に積んだ傾斜堤や捨石マウンドにおいては比較的小径の石をコア層として形成した後、その上に波浪に対して安定な大径の石あるいは異形ブロックで被覆することによって、コア層の石が波浪によって抜け出さないようにすることが一般的に行なわれている。
また、ケーソンの基礎としての捨石マウンドでは、捨石マウンドの表面を矩形状のブロックで被覆することが多いが、異形ブロックを用いる場合もある。
【０００３】
しかしながら、厳しい波浪条件下では、被覆する異形ブロックが大きくなるため、コア層や捨石マウンドの石がブロックの間から抜け出さないように、コア層や捨石マウンドの石と被覆ブロックとの間に、被覆ブロックの１０分の１程度の重量を有する石またはブロックによるフィルター層を設けることが多い。
【０００４】
例えば米国の陸軍の工兵隊のマニュアルでは、傾斜堤の標準的な断面形状としては、図７に示すように砕波条件下において小さな石からなるコア層１２と、被覆ブロック３の１０分の１程度の重量の石またはブロックによるフィルター層２と、被覆ブロック３とによる三層型の複合傾斜堤を形成することが推奨されている。
なお、図７においてＨ．Ｗ．Ｌは満潮水位を、Ｌ．Ｗ．Ｌは干潮水位を示し、またＷは天端幅を示している。
【０００５】
ところで、本邦においては、大寸法の石の調達が困難なため、上記のフィルター層２としては石でなく、異形ブロックを用いることが多い。
しかしながら、上記のごとき従来の石を台形状に積んだ傾斜堤においては、石の投入、表面の均し、フィルターブロック据付、被覆ブロック据付という４段階もの工程となり、その施工に長時間を要する。
特に、ブロックの据付作業には多大な時間を要し、フィルターブロックは、上層の被覆ブロックの据付精度に影響するため、できるだけ整然と据え付ける必要がある。
【０００６】
また、上記の各施工途上で高波浪による被災が生じやすく、しかも高価なブロックを使うため、その施工コストが嵩むという問題がある。なお、これらの問題点は捨石マウンドにも共通している。
上記フィルター層２の目的は、石のコア層１２からの抜け出し防止であるので、フィルター層２として従来使用していた異形ブロックを、より経済的で充分にその機能を発揮できうる材料に置き替えできないかということに着目し、種々考察及び実験を重ねた結果本発明に到達した。
【０００７】
【発明が解決しようとする課題】
本発明は、傾斜堤のコア層の石または捨石マウンドの石の抜け出しを防止するため、従来フィルター層として使用されていた異形ブロックの代わりに網目状に形成したチェーン、または傾斜堤のコア層または捨石マウンドの表面に良く追従する天然または合成繊維製の網目状に形成したロープまたは帯を用いることにより敷設作業時間を短縮し、工費を削減できる傾斜堤または捨石マウンドの石の抜け出し防止方法を提供する。
【０００８】
【課題を解決するための手段】
本発明は、石からなる傾斜堤のコア層または捨石マウンドの表面に、石を通さない網目状に形成したチェーンのロール、または傾斜堤のコア層または捨石マウンドの表面に追従する天然繊維あるいは合成繊維製等の網目状に形成したロープまたは帯のロールを巻き出して敷設した後、その上に被覆ブロックを据え付ける傾斜堤または捨石マウンド等の石の抜け出し防止方法からなる。
【０００９】
【発明の実施の形態】
以下図面を参照して本発明の傾斜堤または捨石マウンドの石の防止方法の一実施形態につき説明するが、この実施形態は、ケーソン４の基礎として石からなる捨石マウンド１を形成した後、ケーソン４を設置の後における捨石マウンド１の石の抜け出し防止工の手順を説明したものである。
【００１０】
まず、図１においては捨石マウンド１の表面に、例えば図６の要部拡大平面図に示すような、網目状のチェーン７のロールを設置台船８上に載せ、そのチェーン７の端部９をケーソン４の下端部にダイバーにより固定する。
上記図１の要部を拡大した斜視図を図５に示しており、設置台船８は係留索１０によりケーソン４及び図示されていないアンカー等によりウインチ１１を介して係留されている。
【００１１】
次に、図２のごとく設置台船８を矢印Ｆ方向に移動させ、チェーン７のロールを巻き出しながら、図３から図４の状態まで移動して捨石マウンド１の表面に敷設し、図４において、網目状のチェーン７を所定長さでダイバーにより切断し、その切断端部をシンカー１２に固定する。
【００１２】
上記図１から図４までの工程をその幅方向に繰り返すことにより捨石マウンドの全面にチェーン７の敷設施工が完了したら、その上に大径の石等の被覆ブロックを据え付けて全ての施工を完了する。
上記の網目状のチェーン７の網目の大きさは、捨石マウンド１の石の最小粒径の８０％程度とするものとするが、上記の実施形態のチェーン７の代わりに捨石マウンド１の表面に追従する天然繊維あるいは合成繊維製のロープまたは帯等を用いてもよい。
【００１３】
なお、上記のチェーン７や、天然繊維等は経年変化するので、長期間使用する永久構造物用等には合成繊維製のロープまたは帯を使用することが好ましい。
【発明の効果】
以上に説明した本発明の傾斜堤または捨石マウンドの石の抜け出し防止方法によれば、従来使用されていた異形ブロックの代わりに網目状に形成したチェーンまたは天然または合成繊維製等のロープまたは帯を用いることにより、その敷設作業を短時間で完了するので、施工途上の災害を防止することができ、作業の安全性が向上する。
【００１４】
また、従来使用していたフィルター層に異形ブロックを用いる場合に比較して、工費及び工期を削減でき、経済的である。
【図面の簡単な説明】
【図１】本発明の傾斜堤または捨石マウンドの石の流出防止方法の一実施形態における施工の手順を説明するチェーンの端部をケーソンに固定した状態の側面図である。
【図２】図１に続く、チェーンの巻出し開始時の状態の側面図である。
【図３】図２に続く、チェーンを捨石マウンドのコア層上面に敷設中の状態の側面図である。
【図４】図３に続く、チェーンを捨石マウンドのコア層上面に敷設後の状態の側面図である。
【図５】図１の状態の要部拡大の斜視図である。
【図６】図１のチェーンの要部拡大の平面図である。
【図７】従来米軍工兵隊が使用している非砕波条件下の三層型の複合傾斜堤の形成図である。
【符号の説明】
１  捨石マウンド                    ７  チェーン
【図１】
0004067192.tif 000002
【図２】
0004067192.tif 000003
【図３】
0004067192.tif 000004
【図４】
0004067192.tif 000005
【図５】
0004067192.tif 000006
【図６】
0004067192.tif 000007
【図７】
0004067192.tif 000008